(57)【特許請求の範囲】
【請求項１】
写真感光材料に光を照射する照射手段と、
前記照射手段により光が照射された写真感光材料の変質を招く異常状態を検知する検知手段と、
前記写真感光材料への光の照射量を絞る絞り手段を備え、該絞り手段による絞り状態が、前記写真感光材料への光の照射量が前記写真感光材料が変質する量の状態であり、かつ、前記検知手段により異常状態が検知された場合に、前記写真感光材料への照射光量を減少させる減少手段と、
を含む写真感光材料変質防止装置。
【請求項２】
前記検知手段は、写真感光材料への冷却風の流動状態、前記写真感光材料への冷却風の温度状態、前記写真感光材料の搬送状態、前記写真感光材料の温度状態、前記照射手段による照射状態、及び前記減少手段の稼働状態の少なくとも１つが異常状態か否かを検知する請求項１記載の写真感光材料変質防止装置。
【請求項３】
前記検知手段は、複数種類の異常状態を検知対象とし、前記減少手段は、前記検知手段により前記複数種類の異常状態の少なくとも１つが検知された場合に、前記照射光量を減少させる請求項１記載の写真感光材料変質防止装置。
【請求項４】
前記検知手段は、写真感光材料への冷却風の流動状態、前記写真感光材料への冷却風の温度状態、前記写真感光材料の搬送状態、前記写真感光材料の温度状態、前記照射手段による照射状態、及び前記減少手段の稼働状態のうちの複数種類の異常状態を検知対象とする請求項３記載の写真感光材料変質防止装置。
【請求項５】
前記減少手段は、前記写真感光材料への光の照射量が前記写真感光材料が変質しないための所定量以下となるように前記照射手段を制御するか又は前記照射手段による光の照射領域から前記写真感光材料が離脱するように写真感光材料を搬送する搬送手段を制御することにより、前記照射光量を減少させる請求項１乃至請求項４の何れか１項に記載の写真感光材料変質防止装置。
【請求項６】
前記検知手段は、少なくとも写真感光材料への冷却風の流動状態及び前記写真感光材料の搬送状態が異常状態か否かを検知し、
前記減少手段は、前記絞り手段による絞り状態が、前記写真感光材料への光の照射量が前記写真感光材料が変質する量の状態であり、かつ、前記検知手段により前記流動状態及び前記搬送状態の少なくとも一方が異常状態であることが検知された場合に、前記照射光量を減少させることを特徴とする請求項１乃至請求項５の何れか１項に記載の写真感光材料変質防止装置。
【請求項７】
前記異常状態を報知する報知手段を更に備えたことを特徴とする請求項１乃至請求項６の何れか１項に記載の写真感光材料変質防止装置。
【請求項８】
請求項１乃至請求項７の何れか１項に記載の写真感光材料変質防止装置と、
前記写真感光材料を搬送する搬送手段と、
前記搬送手段により写真感光材料が搬送されている状態で、前記写真感光材料に記録された画像を読み取る読取手段と、
を備えた画像読取装置。
【発明の詳細な説明】
【０００１】
【発明の属する技術分野】
本発明は、写真感光材料変質防止装置及び画像読取装置に係り、より詳しくは、光照射による写真感光材料の変質を防止する写真感光材料変質防止装置及び該写真感光材料変質防止装置を備えた画像読取装置に関する。
【０００２】
【従来の技術】
従来より、写真フィルムを所定の位置に位置決めし、写真フィルムが静止状態のときに写真フィルムに記録された画像を読み取る画像読取装置が提案されている。
【０００３】
このような画像読取装置において、写真フィルムを冷却するものとして、次の種々の装置が提案されている。
【０００４】
即ち、ノズルから、静止状態の写真フィルムにおける照明光のスポットが形成される中心を含む領域を狙って、空気を噴出する装置が提案されている（特開昭62-69257号公報）。これにより、特に、写真フィルムが高温となる高倍率時に冷却に必要な空気を供給でき、写真フィルムの温度を充分に下げることができる。
【０００５】
また、ノズルから、写真フィルムの上下両面に気体を吹きつける装置が提案されている（実開昭55-159338 号公報）。これにより、写真フィルムの上下両面が強制冷却されて、写真フィルムの変質を防止することができる。
【０００６】
更に、写真フィルム画像がオーバー露光である場合に対応して写真フィルムに照射する光量を多くする場合には、冷却用ファンの駆動モータに印加する電圧を高くし、該光量が少ない場合には、該電圧を低くする装置が提案されている（特開昭63-235923 号公報）。
【０００７】
そして、写真フィルムの装着又は未装着のときに、光源の明るさと冷却ファンの回転速度を自動的に制御するものも提案されている（実開昭57-23658号公報）。
【０００８】
以上、種々の装置が提案されているが、何れも写真フィルムが静止状態のときに写真フィルムに記録された画像を読み取るものである。
【０００９】
ところで、上記のように写真フィルムが静止状態のときに写真フィルムに記録された画像を読み取るものと異なり、写真フィルムに記録された画像を、写真フィルムを搬送しながら読み取る画像読取装置が考えられる。
【００１０】
この場合、照明装置としては、照明の効果を考慮し、写真フィルムに、写真フィルムの搬送方向と直交する方向に伸びるスリット状の照明として、読み取りに必要な領域のみに光を照射することが望ましい。
【００１１】
そして、本画像読取装置は、スリット光が照射された写真フィルムから透過した光を、写真フィルムの搬送方向と直交する方向に並ぶラインＣＣＤにより画像の読み取りを行う。
【００１２】
一般に、スリット光が照射された写真フィルムの画像をラインＣＣＤにより読み取る場合には、例えば、同一画像を同一時間でエリアＣＣＤで読み取るために必要な光量に比較すると、写真フィルムに照射される光量は格段に多く必要となる。特に、高速で搬送しながら画像を読み取る場合には、さらに大光量の照明が必要となり、写真フィルムに与える熱量が多くなるため、写真フィルムの温度が上昇することを抑制する手段が必要となる。
【００１３】
【発明が解決しようとする課題】
昨今、ＣＣＤにより写真フィルム画像を取り込み、取り込んだ画像をデジタル処理して印画紙に走査露光する、いわゆるデジタルフォトプリンタが提案されている。
【００１４】
これは、写真フィルムに記録された画像情報を光電的に読み取って、読み取った画像をデジタル信号とした後、種々の画像処理を施して記録用の画像情報として、この画像情報に応じて変調した記録光によって感光材料を走査露光して画像（潜像）を記録し、現像処理によってプリントとするものである。
【００１５】
デジタルフォトプリンタでは、複数画像の合成や画像の分割等の編集や、文字と画像との編集等のプリント画像の編集レイアウトや、拡大縮小、色／濃度／階調調整、ネガ写真フィルム／ポジ変換、輪郭強調等の各種の画像処理も自由に行うことができる。また、従来の直接露光によるプリントでは、濃度分解能、空間分解能、色／濃度再現性等の点で、写真フィルムに記録されている画像濃度情報をすべて再生することはできないが、デジタルフォトプリンタによれば、写真フィルムに記録されている画像濃度情報をほぼ100 ％再生したプリントを得ることができる。
【００１６】
さらに、デジタルフォトプリンタによれば、写真フィルムに記録された画像情報や、それに対する画像処理条件を、装置が有するメモリやハートディスク等の外部メモリや外部メディアに記録（保存）しておくことが可能であるので、焼き増し等を行う際に、原画となる写真フィルムが不要であり、また、再度処理条件を設定する必要がないので、迅速かつ効率よく焼き増し等の作業を行うことができる。その他のサービスの形態としては、デジタルカメラ等により記録されたデジタル画像データの編集及びプリンタ等への出力や、写真フィルム画像を外部メディアに記録することや、さらにインターネット機能を利用してデジタル画像データを遠方へ転送する等の応用サービス等も考えられる。
【００１７】
このような装置は、一種の生産設備であり、従って、画像の読み取りを短時間に行う、所謂処理能力の高いものが要求され、しかも多様な写真フィルム種、露出レベルのものを高画質に仕上げる必要がある。従って、例えば、オーバー露光されたネガ写真フィルムに対しても、入力された画像を、一定処理能力で、高画質画像データしてと読み取りができるためには、さらに、多くの照明光量が必要となる。
【００１８】
また、上記画像読取装置において、カラー画像の読み取りに必要な可視光成分にも熱エネルギーがあることが分かっている。従って、カラー画像の読み取りのための光源は、カット可能な波長領域が自ずと制限され、読み取りに不要な波長成分をカットして照射しても完全な防熱効果は得られず、従って、大光量を照射すると、光量に比例して、写真フィルム原稿に熱エネルギーが蓄積され、写真フィルムの温度上昇が写真フィルム構成材料の許容温度以上となり、写真フィルムが変質する。なお、写真フィルムの変質には、一時的変質（可逆的な退色）や永久変質（非可逆的な退色や写真フィルムベースの変形等）がある。
【００１９】
また、ラインＣＣＤ等を使った読み取りにおいては、原稿を一定速度で安定に搬送させるため、読取部の搬送ガイド形状を屈曲させることにより、読み取られる写真フィルム原稿の位置安定性を確保している。このように、写真フィルムが搬送ガイド形状を屈曲させた読取部を通過するとき、写真フィルム画像が順次に一部が屈曲する搬送がなされる。そのため、所定光量以上の照射光を写真フィルム屈曲部に与えながら写真フィルムが所定時間以上照射領域に滞留した場合等は、屈曲部の形状が永久変形して残るといった問題が生ずる虞がある。
【００２０】
一旦写真フィルムに非可逆的な熱損傷が加わると修復不可能となるため、写真フィルムを保護するといった機能は、装置構成上で最重要課題の１つに数えられるべき機能である。この場合、照明光を有効に照射するだけでは、以上のように写真フィルムに熱損傷を与える虞がある。よって、写真フィルムの温度が高くなることを何らかの方法で抑制する手段が必要となる。
【００２１】
しかしながら、写真フィルムの温度が高くなることを抑制する手段を備えたとしても、該手段が故障したり、写真フィルムの搬送装置が故障して、前述したように写真フィルムが所定時間以上照射領域に滞留したり、した場合、写真フィルムの過熱を防止することにより写真フィルムが変質することを防止することができない。
【００２２】
本発明は、上記事実に鑑みて成されたもので、光照射された写真感光材料の変質を防止することの可能な写真感光材料変質防止装置及び該写真感光材料変質防止装置を備えた画像読取装置を提供することを目的とする。
【００２３】
【課題を解決するための手段】
上記目的達成のため本発明は、写真感光材料に光を照射する照射手段と、前記照射手段により光が照射された写真感光材料の変質を招く異常状態を検知する検知手段と、を備えている。更に、前記検知手段により異常状態が検知された場合に、前記写真感光材料への照射光量を減少させる減少手段を備えている。
【００２４】
即ち、照射手段は、写真感光材料に光を照射する。
【００２５】
検知手段は、照射手段により光が照射された写真感光材料の変質を招く異常状態を検知する。
【００２６】
ここで、異常状態には、写真感光材料への冷却風の流動状態、写真感光材料への冷却風の温度状態、写真感光材料の搬送状態、写真感光材料の温度状態、照射手段による光の照射状態、及び減少手段の稼働状態が異常である状態があり、検知手段は、これらの異常状態の少なくとも１つを検知する。
【００２７】
なお、上記写真感光材料への冷却風の流動状態には、冷却風の流量の状態が含まれると共に、冷却風をコンプレッサによって生成する場合には、該コンプレッサの累積稼動時間の長さが含まれる。すなわち、コンプレッサには寿命（例えば１万時間）があり、この寿命に累積稼動時間が近づくに従って、内部の摩耗によりピストン等の部材が破損したり、熱風が出たり、コンプレッサそのものが破壊する場合がある。従って、コンプレッサの累積稼動時間が寿命に基づいて定められる所定時間を越えた場合には、冷却風の流動状態が異常であると考えることができる。この場合には、コンプレッサの流量と累積稼動時間との関係を事前に取得しておき、累積稼動時間で冷却風の流動状態を判断することもできる。
【００２８】
ここで、上記冷却風の流量の検出には、流量センサで直接検出することの他に、圧力センサによって冷却風の圧力を検知して、これを流量に変換することも含まれる。すなわち、事前に冷却風の圧力と流量との相関関係を得ておくことにより、該相関関係に基づいて冷却風の圧力を流量に変換することができる。
【００２９】
また、上記写真感光材料の温度状態には、当該写真感光材料近傍の雰囲気温度の状態も含まれる。
【００３０】
更に、上記照射手段による光の照射状態には、写真感光材料上の同一箇所に照射される光の累積時間の長さが含まれる。すなわち、例えば、写真感光材料に記録されている単一の画像を異なる条件で複数回読み取る必要がある場合（例えば、複数の異なる解像度の画像データを得る場合等）には、当該単一の画像に対して読取回数に応じた時間だけ連続して光が照射されることになるが、このときの連続照射時間（すなわち、累積照射時間）が長くなるに従って写真感光材料の上記単一の画像の記録領域は変質し易くなる。従って、上記累積照射時間が所定時間を越えた場合には、照射手段による光の照射状態が異常であると考えることができる。
【００３１】
減少手段は、前記写真感光材料への光の照射量を絞る絞り手段を備え、該絞り手段による絞り状態が、前記写真感光材料への光の照射量が前記写真感光材料が変質する量の状態であり、かつ、検知手段により異常状態が検知された場合、写真感光材料への照射光量を減少させる（所謂、異常処理）。
【００３２】
このように、写真感光材料への光の照射量を絞る絞り手段を備え、該絞り手段による絞り状態が、写真感光材料への光の照射量が写真感光材料が変質する量の状態であり、かつ、光が照射された写真感光材料の変質を招く異常状態が検知された場合、写真感光材料への照射光量を減少させるので、写真感光材料の変質を防止することができる。
なお、本発明において、絞り状態が、前記写真感光材料への光の照射量が前記写真感光材料が変質する量の状態であることを加味しているのは、絞り手段による絞り状態が、前記写真感光材料への光の照射量が前記写真感光材料が変質する量の状態でなければ、写真感光材料が変質する虞が少ないので、照射光量を減少させる必要がないことに鑑みたものである。
このように、写真感光材料への光の照射量を絞る絞り手段による絞り状態が、写真感光材料への光の照射量が写真感光材料が変質する量の状態である場合に限って、照射光量を減少させるので、減少処理を必要な状態に限定して実行することができる。
【００３３】
ここで、検知手段は、複数種類の異常状態を検知対象とし、前記減少手段は、前記検知手段により前記複数種類の異常状態の少なくとも１つが検知された場合に、前記照射光量を減少させるようにしてもよい。
【００３４】
なお、この場合の複数種類の異常状態には、前述と同様に、写真感光材料への冷却風の流動状態、写真感光材料への冷却風の温度状態、写真感光材料の搬送状態、写真感光材料の温度状態、照射手段による光の照射状態、及び減少手段の稼働状態が異常である状態がある。
【００３５】
このように、複数種類の異常状態の少なくとも１つが検知された場合、写真感光材料への照射光量を減少させるようにしているので、複数種類の異常状態に則して写真感光材料への照射光量を減少させることができ、写真感光材料の変質をより効果的に防止することができる。
【００３６】
なお、減少手段は、前記写真感光材料への光の照射量が前記写真感光材料が変質しないための所定量以下となるように前記照射手段を制御するか又は前記照射手段による光の照射領域から前記写真感光材料が離脱するように写真感光材料を搬送する搬送手段を制御することにより、前記照射光量を減少させるようにしてもよい。
【００４０】
また、検知手段は、写真感光材料への冷却風の流動状態及び前記写真感光材料の搬送状態が異常状態か否かを検知し、減少手段は、前記絞り手段による絞り状態が、前記写真感光材料への光の照射量が前記写真感光材料が変質する量の状態であり、かつ、前記検知手段により前記流動状態及び前記搬送状態の少なくとも一方が異常状態であることが検知された場合に、前記照射光量を減少させるようにしてもよい。
【００４１】
このように本発明では、照射手段により光が照射され、絞り状態が写真感光材料が変質する量の状態であり、流動状態が異常状態であり、搬送状態が異常状態の４条件が同時に発生しないようにしている。なお、流動状態が適正でも照射手段による光の量が大きい場合には、照射手段により光が照射され、絞り状態が写真感光材料が変質する量以上の状態であり、搬送状態が異常状態の３条件が同時に発生しないようにもしている。
【００４２】
また、異常状態を報知する報知手段を備えるようにしてもよい。
【００４３】
更に、本発明に係る写真感光材料変質防止装置を画像読取装置に適用してもよい。即ち、写真感光材料を搬送する搬送手段と、搬送手段により写真感光材料が搬送されている状態で、写真感光材料に記録された画像を読み取る読取手段と、を備えた画像読取装置に、本発明に係る写真感光材料変質防止装置を適用する。
【００４４】
即ち、本発明に係る画像読取装置の好適な構成は次の通りである。即ち、本発明に係る画像読取装置は、写真感光材料を搬送するための搬送手段と、該搬送の方向に配列され、かつ、画像読み取りのための該搬送の方向と交差する方向に伸びる３ラインのＣＣＤと、写真感光材料画像をＣＣＤに投影する手段としてのレンズ装置と、前記搬送手段により搬送される写真感光材料に光を照射する照射手段と、を備えているものである。
【００４５】
そして、本発明の特徴としては、上記検知手段や上記減少手段を更に備えている点にある。
【００４６】
本発明に係る画像読取装置の好適な態様には、読み取った画像を画像処理して記録画像の露光条件を決定するセットアップ装置、読み取った画像に種々の画像処理を施す画像処理装置、読み取った画像を記録（保存）する記録装置がある。
【００４７】
なお、上記３ラインＣＣＤとは、例えば、エリアセンサ等であっても、事実上３ラインＣＣＤと同様の使われ方をする場合には、上記３ラインＣＣＤと表記する。
【００４８】
その他、本発明に係る写真感光材料変質防止装置を、写真感光材料の画像を感光材料に露光する露光装置に適用してもよい。
【００４９】
【発明の実施の形態】
以下、図面を参照して本発明の実施の形態について詳細に説明する。
【００５０】
図１に示すように、本実施の形態に係るラインＣＣＤスキャナ（写真感光材料変質防止装置を備えた画像読取装置）１４は、画像処理部１６、マウス２０、２種類のキーボード１２Ａ、１２Ｂ、及びディスプレイ１８が設けられた作業テーブル２７に備えられている。
【００５１】
一方のキーボード１２Ａは作業テーブル２７の作業面２７Ｕ内に埋設されている。他方のキーボード１２Ｂは、不使用時は、作業テーブル２７の引出し２４内に収納され、使用時は、引出し２４から取り出し、一方のキーボード１２Ａ上に重ねる。このとき、キーボード１２Ｂのコードを、画像処理部１６に接続されたジャック１１０に接続する。
【００５２】
マウス２０のコードは作業テーブル２７に設けられた孔１０８を介して画像処理部１６に接続されている。マウス２０は、不使用時はマウスホルダ２０Ａに収納され、使用時はマウスホルダ２０Ａから取り出し、作業面２７Ｕ上に載置する。
【００５３】
画像処理部１６は、作業テーブル２７に設けられた収納部１６Ａに収納され、開閉扉２５によって密閉されている。なお、開閉扉２５を開放することにより、画像処理部１６を取り出すことができるようになっている。
【００５４】
ラインＣＣＤスキャナ１４は、ネガフィルムやリバーサルフィルム等の写真フィルム等の写真感光材料に記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１４は、上記の読取対象のフィルム画像をラインＣＣＤで読み取り、画像データを出力する。
【００５５】
ここで、写真フィルムとは、被写体を撮影後、現像処理され、ネガ画像又はポジ画像が可視化されたフィルムをいう。
【００５６】
画像処理部１６は、ラインＣＣＤスキャナ１４から出力された画像データが入力されると共に、入力された画像データに対して各種の補正等の画像処理を行って、記録用画像データとして、図示しないレーザプリンタ部へ出力する。
【００５７】
図２及び図３に示すように、ラインＣＣＤスキャナ１４の光学系は、作業テーブル２７の下方に配置された、照射手段としての光源部３０、作業テーブル２７に支持された拡散ボックス４０、作業テーブル２７にセットされるフィルムキャリア３８、及び作業テーブル２７を挟んで光源部３０の反対側に配置された読取部４３を備えている。
【００５８】
光源部３０は金属製のケーシング３１内に収容されており、ケーシング３１内部には、ハロゲンランプやメタルハライドランプ等から成るランプ３２が配置されている。
【００５９】
ランプ３２の周囲にはリフレクタ３３が設けられており、ランプ３２から射出された光の一部はリフレクタ３３によって反射され、一定の方向へ射出される。リフレクタ３３の側方には、複数のファン３４が設けられている。ファン３４はランプ３２が点灯している間作動され、ケーシング３１の内部が過熱状態となることを防止する。
【００６０】
リフレクタ３３の光射出側には、リフレクタ３３からの射出光の光軸Ｌに沿って、紫外域及び赤外域の波長の光をカットすることで写真フィルム２２の温度上昇を防止し読取精度を向上させるＵＶ／ＩＲカットフィルタ３５、ランプ３２からの光及びリフレクタ３３からの射出光の光量を調整する絞り３９、及び、写真フィルム２２及び読取部４３に到達する光の色成分を、写真フィルムの種類（ネガフィルム／リバーサルフィルム）に応じて適切に設定するネガフィルム用のバランスフィルタ３６Ｎ及びリバーサルフィルム用のバランスフィルタ３６Ｐが嵌め込まれているターレット３６（図４（Ｂ）も参照）が順に設けられている。
【００６１】
絞り３９は光軸Ｌを挟んで配置された一対の板材（絞り板）から成り、一対の板材が接近離間するようにスライド移動可能とされている。図４（Ａ）に示すように、絞り３９の一対の板材は、スライド方向に沿った一端側から他端側に向けて、スライド方向に直交する方向に沿った断面積が連続的に変化するように、一端側に切り欠き３９Ａが各々形成されており、切り欠き３９Ａが形成されている側が対向するように配置されている。
【００６２】
上記構成では、所望の光成分の光となるように、写真フィルムの種類に応じたフィルタ（３６Ｎ、３６Ｐ）の何れが光軸Ｌ上に位置し、絞り３９の位置によって絞り３９を通過する光の光量を所望の光量に調整する。
【００６３】
拡散ボックス４０は、上部になるに従って、即ち、写真フィルム２２に近づくに従って、フィルムキャリア３８によって搬送される写真フィルム２２の搬送方向の長さが狭くなり（図２参照）、該搬送方向に直交する方向（写真フィルム２２の幅方向）の長さが広がる（図３参照）形状とされている。また、拡散ボックス４０の光入射側及び光射出側には光拡散板（図示せず）が各々取付けられている。なお、上記の拡散ボックス４０は、１３５サイズの写真フィルム用であるが、他の写真フィルムに応じた形状の拡散ボックス（図示せず）も用意されている。
【００６４】
拡散ボックス４０に入射された光は、フィルムキャリア３８（すなわち写真フィルム２２）に向けて、写真フィルム２２の幅方向を長手方向とするスリット光とされ、また、光拡散板によって拡散光とされて射出される。このように、拡散ボックス４０から射出される光が拡散光とされることにより、写真フィルム２２に照射される光の光量むらが低減され、フィルム画像に均一な光量のスリット光が照射されると共に、フィルム画像に傷が付いていたとしても、この傷が目立ちにくくなる。
【００６５】
フィルムキャリア３８及び拡散ボックス４０は、写真フィルム２２の種類毎に用意されており、写真フィルム２２に応じて選択される。
【００６６】
フィルムキャリア３８の上面及び下面における光軸Ｌに対応する位置には、写真フィルム２２の幅方向に写真フィルム２２の幅より長い細長い開口（図示しない）が設けられている。拡散ボックス４０からのスリット光は、フィルムキャリア３８の下面に設けられた該開口を介して写真フィルム２２に照射され、写真フィルム２２の透過光が、フィルムキャリア３８の上面に設けられた該開口を介して、読取部４３に到達する。
【００６７】
ところで、フィルムキャリア３８は、拡散ボックス４０からのスリット光が照射される位置（読取位置）で湾曲するように、写真フィルム２２をガイドする図示しないガイドが設けられている。これにより、読取位置での写真フィルム２２の平面性が確保される。
【００６８】
また、拡散ボックス４０は、上面が上記読取位置に接近するように支持されている。よって、フィルムキャリア３８の装填時にフィルムキャリア３８と拡散ボックス４０が干渉しないように、フィルムキャリア３８の下面には、切り欠け部が設けられている。
【００６９】
なお、フィルムキャリアは、プレスキャン時や、ファインスキャン時、例えばこれからファインスキャンするフィルム画像の濃度に応じる等、複数の速度で写真フィルム２２を搬送可能なように構成されている。
【００７０】
読取部４３は、ケーシング４４内部に収容された状態で配置されている。ケーシング４４の内部には、上面に、読取手段としてのラインＣＣＤ１１６が取付けられた載置台４７が設けられており、載置台４７からは支持レール４９が複数本垂下されている。支持レール４９には、縮小・拡大等の変倍のために作業テーブル２７と接近離間する方向Ａにスライド移動可能にレンズユニット５０が支持されている。作業テーブル２７には支持フレーム４５が立設されている。載置台４７は、支持フレーム４５に取り付けられたガイドレール４２に、上記変倍やオートフォーカス時に共役長を確保するために作業テーブル２７と接近離間する方向Ｂにスライド移動可能に支持されている。レンズユニット５０は複数枚のレンズから成り、複数枚のレンズの間にはレンズ絞り５１が設けられている。図４（Ｃ）に示すように、レンズ絞り５１は略Ｃ字状に成形された絞り板５１Ａを複数枚備えている。各絞り板５１Ａは光軸Ｌの周囲に均等に配置され一端部がピンに軸支されており、ピンを中心として回動可能とされている。複数枚の絞り板５１Ａは図示しないリンクを介して連結されており、レンズ絞り駆動モータ（後述）の駆動力が伝達されると同一の方向に回動する。この絞り板５１Ａの回動に伴って、光軸Ｌを中心として絞り板５１Ａにより遮光されていない部分（図４（Ｃ）における略星型の部分）の面積が変化し、レンズ絞り５１を通過する光の光量が変化する。
【００７１】
ラインＣＣＤ１１６は、ＣＣＤセル及びフォトダイオード等の光電変換素子が、写真フィルム２２の幅方向に一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。また、各センシング部の近傍には、多数のＣＣＤセルから成る転送部が各センシング部に対応して各々設けられており、各センシング部の各ＣＣＤセルに蓄積された電荷は、対応する転送部を介して順に転送される。
【００７２】
またラインＣＣＤ１１６の光入射側には、ＣＣＤシャッタ５２が設けられている。なお、図４（Ｄ）に示すように、このＣＣＤシャッタ５２にはＮＤフィルタ５２ＮＤが嵌め込まれている。ＣＣＤシャッタ５２は、矢印ｕ方向に回転して、暗補正のためにラインＣＣＤ１１６に入射される光を遮光する全閉状態（ＮＤフィルタ５２ＮＤが嵌め込まれていない部分５２Ｂ等が、光軸Ｌを含む位置５２Ｃに位置する）、通常の読み取りや明補正のためにラインＣＣＤ１１６に光を入射させる全開状態（図４（Ｄ）の位置）、リニアリティ補正のためにラインＣＣＤ１１６に入射される光をＮＤフィルタ５２ＮＤによって減光する減光状態（ＮＤフィルタ５２ＮＤが位置５２Ｃに位置する）の何れかの状態に切り替わる。
【００７３】
図３に示すように、作業テーブル２７には、写真フィルム２２を冷却するための冷却風を生成するコンプレッサ９４が配置されている。コンプレッサ９４により生成された冷却風は、案内管９５によりフィルムキャリア３８の図示しない読取部に案内されて、供給される。これにより、写真フィルム２２の読取部に位置する領域を冷却することができる。なお、案内管９５は、冷却風の流量を検出する、検知手段としての流量センサ９６を貫通している。なお、流量センサに限定されず、冷却風の風速を検出するセンサを設けるようにしてもよい。
【００７４】
図５に示したラインＣＣＤスキャナ１４の光学系の主要部を参照しながら、ラインＣＣＤスキャナ１４及び画像処理部１６の電気系の概略構成を、図６を用いて説明する。
【００７５】
ラインＣＣＤスキャナ１４は、ラインＣＣＤスキャナ１４全体の制御を司る、減少手段としてのマイクロプロセッサ４６を備えている。マイクロプロセッサ４６には、バス６６を介してＲＡＭ６８（例えばＳＲＡＭ）、ＲＯＭ７０（例えば記憶内容を書換え可能なＲＯＭ）が接続されていると共に、ランプドライバ５３、コンプレッサ９４、流量センサ９６、及びモータドライバ４８が接続されている。ランプドライバ５３は、マイクロプロセッサ４６からの指示に応じてランプ３２を点消灯させる。また、写真フィルム２２のフィルム画像の読み取りの際、写真フィルム２２に冷却風を供給するために、マイクロプロセッサ４６は、コンプレッサ９４を稼働させる。なお、流量センサ９６により冷却風の流量が検出され、マイクロプロセッサ４６は、異常を検知する。
【００７６】
また、モータドライバ４８には、ターレット３６のネガフィルム用のバランスフィルタ３６Ｎ及びリバーサルフィルム用のバランスフィルタ３６Ｐの何れかが光軸Ｌに位置するようにターレット３６を図４（Ｂ）矢印ｔ方向に回転駆動するターレット駆動モータ５４、ターレット３６の基準位置（図示しない切り欠け）を検出するターレット位置センサ５５（図４（Ｂ）も参照）が接続されている。モータドライバ４８には、更に、絞り３９をスライド移動させる絞り駆動モータ５６、絞り３９の位置を検出する絞り位置センサ５７、載置台４７（即ち、ラインＣＣＤ１１６及びレンズユニット５０）をガイドレール４２に沿ってスライド移動させる読取部駆動モータ５８、載置台４７の位置を検出する読取部位置センサ５９、レンズユニット５０を支持レール４９に沿ってスライド移動させるレンズ駆動モータ６０、レンズユニット５０の位置を検出するレンズ位置センサ６１、レンズ絞り５１の絞り板５１Ａを回動させるレンズ絞り駆動モータ６２、レンズ絞り５１の位置（絞り板５１Ａの位置）を検出するレンズ絞り位置センサ６３、ＣＣＤシャッタ５２を全閉状態、全開状態及び減光状態の何れかの状態に切り換えるシャッタ駆動モータ６４、シャッタ位置を検出するシャッタ位置センサ６５、ファン３４を駆動するファン駆動モータ３７が接続されている。
【００７７】
マイクロプロセッサ４６は、ラインＣＣＤ１１６によるプレスキャン（予備読み取り）及びファインスキャン（本読み取り）を行う際に、ターレット位置センサ５５及び絞り位置センサ５７によって検出されるターレット３６及び絞り３９の位置に基づき、ターレット駆動モータ５４によってターレット３６を回転駆動させると共に、絞り駆動モータ５６によって絞り３９をスライド移動させ、フィルム画像に照射される光を調節する。
【００７８】
またマイクロプロセッサ４６は、フィルム画像のサイズやトリミングを行うか否か等に応じてズーム倍率を決定し、フィルム画像が前記決定したズーム倍率でラインＣＣＤ１１６によって読み取られるように、読取部位置センサ５９によって検出される載置台４７の位置に基づき読取部駆動モータ５８によって載置台４７をスライド移動させると共に、レンズ位置センサ６１によって検出されるレンズユニット５０の位置に基づきレンズ駆動モータ６０によってレンズユニット５０をスライド移動させる。
【００７９】
なお、ラインＣＣＤ１１６の受光面をレンズユニット５０によるフィルム画像の結像位置に一致させる合焦制御（オートフォーカス制御）を行う場合、マイクロプロセッサ４６は、読取部駆動モータ５８により載置台４７のみをスライド移動させる。この合焦制御は、一例としてラインＣＣＤ１１６によって読み取られたフィルム画像のコントラストが最大となるように行う（所謂画像コントラスト法）ことができるが、これに代えて写真フィルム２２とレンズユニット５０（又はラインＣＣＤ１１６）との距離を赤外線等により測定する距離センサを設け、フィルム画像のデータに代えて距離センサによって検出された距離に基づいて行うようにしてもよい。
【００８０】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００８１】
Ａ／Ｄ変換器８２の出力端は、相関二重サンプリング回路（ＣＤＳ）８８、インタフェース（Ｉ／Ｆ）回路９０を順に介して画像処理部１６に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００８２】
なお、ラインＣＣＤ１１６からはＲ、Ｇ、Ｂの読取信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に、画像処理部１６に入力される。
【００８３】
更に、画像処理部１６には、前述したディスプレイ１８、キーボード１２Ａ、１２Ｂ、マウス２０、及びフィルムキャリア３８が接続されている。
【００８４】
図７に示すように、絞り位置センサ５７は、光軸Ｌ近くに配置された原点検出センサ（受光素子）５７Ａ及び原点検出センサ５７Ａに対応して配置された発光素子（図示せず）からなる第１の光センサと、光軸Ｌより遠くに配置された待機センサ（受光素子）５７Ｂ及び待機センサ５７Ｂに対応して配置された発光素子（図示せず）からなる第２の光センサと、により構成されている。
【００８５】
ここで、図７（Ａ）に示すように、絞り３９が、第１の光センサ及び第２の光センサの光軸Ｌ1 、Ｌ2 位置に位置する場合（原点検出センサ５７Ａ及び待機センサ５７Ｂが受光していない）を、原点位置と称し、図７（Ｂ）に示すように、絞り３９が、第２の光センサの光軸Ｌ2 位置にのみ位置する場合（原点検出センサ５７Ａのみが受光している）を、待機位置と称し、図７（Ｃ）に示すように、絞り３９が、第１の光センサ及び第２の光センサの光軸Ｌ1 、Ｌ2 位置に位置しない場合（原点検出センサ５７Ａ及び待機センサ５７Ｂが受光している）を、危険位置と称することにする。
【００８６】
絞り３９が原点位置に位置する場合には、写真フィルム２２への照射光量が少なく、変質するおそれがない。絞り３９が危険位置に位置する場合には、写真フィルム２２への照射光量が多く、変質するおそれがある。絞り３９が待機位置に位置する場合は、プレスキャン位置に近い位置である。
【００８７】
そして、本実施の形態では、絞り３９が原点位置に位置する場合には、写真フィルム２２への照射光量が少なく、変質するおそれがないので、コンプレッサ９４の作動を停止するようにしている。これにより、コンプレッサ９４の長寿命化を図ることができる。また、本実施の形態では、絞り３９が危険位置に位置する場合には、写真フィルム２２への照射光量が多く、変質するおそれがあるので、コンプレッサ９４を作動するようにしている。
【００８８】
また、本実施の形態では、スキャン（プレスキャン及びファインスキャン）終了した場合、絞り３９を待機位置（図７（Ｂ））に移動し、所定時間（例えば、１分等）経過するまでスキャンスタートの指示がなければ、原点位置（図７（Ａ））に移動するようにしている。なお、所定時間経過するまでにスキャンスタートの指示がある場合、即ち、フィルムキャリア３８からフィルム先端検出信号が入力された場合やキーボード１２Ａ又は１２Ｂからスキャンスタートキー入力があった場合等は、所定のプレスキャン位置に移動するようにしている。
【００８９】
ここで、スキャン終了した場合、絞り３９を待機位置に移動しているのは、前述したように、待機位置はプレスキャン位置に近い位置であるので、スキャンスタートの指示があった場合に即座にプレスキャン位置に移動できるようにするためである。
【００９０】
なお、絞り位置センサ５７を第１の光センサ及び第２の光センサの２つのセンサにより構成するようにしているのは、何れか一方のセンサのみを備えるようにしてもよいが、絞り駆動モータ５６にエンコーダを設け、エンコーダからのパルス信号をカウント等して絞り３９が何れの位置にあるかを常時監視しなければならず、構成及び制御が複雑になることに鑑みたものである。
【００９１】
次に、本実施の形態に係るラインＣＣＤスキャナ１４の作用を説明する。
【００９２】
フィルムキャリア３８に写真フィルム２２が挿入されると、フィルムキャリア３８の図示しない写真フィルム識別センサが写真フィルム２２を検知し、フィルムキャリア３８は、自動的に写真フィルム２２の搬送を開始する。
【００９３】
これと同時に、ラインＣＣＤスキャナ１４は、最適露光条件を求めるための予備読み取り（以下、プレスキャンという）を行うための準備状態に、各部を移行させ、写真フィルム２２を所定の一定速度で搬送しながらプレスキャンを行い、写真フィルム２２に記録された画像を粗く読み取る。
【００９４】
ここで、上記準備状態とは、レンズユニット５０によるラインＣＣＤ１１６への投影倍率（光学倍率）の設定、ランプ３２からの照射光量の設定、ラインＣＣＤ１１６での読み取り周期（蓄積時間及び転送時間からなる）の設定等を行う状態をいう。
【００９５】
また、プレスキャンにおいては、写真フィルム２２の処理単位、例えば、写真フィルム２２がストリップス状の長尺写真フィルムであれば、ストリップ１本分を一度に同じ装置条件（上記光学倍率、照射光量、読み取り周期等）にて画像を読み取る。
【００９６】
プレスキャンが終了すると、プレスキャン時に読み取られた画像をもとに、最適な画質となるような露光条件を求める、所謂、セットアップ演算を行う。また、必要に応じて、プレスキャン時に読み取られた画像を、セットアップにより補正された条件にして、仕上がり状態を示すポジ画像を、ディスプレイ１８に表示する。オペレータはモニター上のポジ画像を検定し、必要に応じて、手動で更に画像の濃度、色等に関して補正をかけ、必要に応じてトリミング作業を行い、読み取り画像範囲の指定を行う。更に、印画紙に画像を出力する際には、出力画像サイズ（所謂、プリントサイズ）、出力枚数等も指定する。このようにして全ての条件を整えた上で、オペレータは本読み取り（以下、ファインスキャンという）を行うように、キー入力等により指示する。
【００９７】
これにより、プレスキャンにより一旦先端まで搬送された写真フィルム２２を、今度は、プレスキャンとは逆方向に搬送しながら、該写真フィルム２２に記録された画像をファインスキャンするのに必要な装置状態に移行する。
【００９８】
ここで、上記ファインスキャンするのに必要な装置状態とは、写真フィルム２２を搬送する搬送速度の設定、上記光学倍率の設定、上記照射光量の設定、上記読み取り周期の設定等を行う状態をいう。これにより、これから読み取る画像１駒毎に最適な露光条件が設定される。
【００９９】
そして、上記装置状態への移行完了後、ラインＣＣＤスキャナ１４は、フィルムキャリア３８を制御して写真フィルム２２を、プレスキャンとは逆方向に搬送しながら、該写真フィルム２２に記録された画像を、１駒毎に、指定された露光条件にてファインスキャンする。
【０１００】
上記ファインスキャンによりラインＣＣＤ１１６により読み取られて得られた画像信号は、増幅器７６により増幅され、Ａ／Ｄ変換器８２によりディジタルデータ（画像データ）に変換される。
【０１０１】
上記画像データは、ＣＤＳ８８により、３本のラインＣＣＤ１１６相互の読み取った主走査方向のラインのずれ（所謂、色ずれ）が補正されて、インタフェース（Ｉ／Ｆ）回路９０を介して画像処理部１６に入力される。なお、画像処理部１６内の図示しない拡縮回路により、所定の画素数に変換され、最終的な画像データを得る。なお、この画像データを、本発明とは別の画像記録装置へ転送し、印画紙に画像を走査露光し、現像処理することにより、所望の写真プリントを得る。
【０１０２】
以上説明した作用時において、写真フィルム２２がフィルムキャリア３８に挿入されたときや写真フィルム２２がフィルムキャリア３８により搬送される場合において、プレスキャン開始と同時にかつ写真フィルム２２が搬送されている間、写真フィルム２２を冷却する。即ち、コンプレッサ９４を稼働させる。一方、ファインスキャンの終了や写真フィルム２２が読取領域から離脱したことが検知されたとき、写真フィルム２２の冷却を停止する。即ち、コンプレッサ９４の稼働を停止する。
【０１０３】
ここで、写真フィルム２２の冷却は、最初は弱冷却状態から徐々に強冷却状態に移行し、該冷却の停止は、強冷却状態から徐々に弱冷却状態に移行するようにしてもよい。即ち、冷却を完全に停止せず、弱冷却状態を継続して、次の写真フィルム２２の挿入に応じて直ちに対応することができるようにしてもよい。
【０１０４】
冷却する際は、電圧を変化させることで冷却能力が可変する冷却手段を用いる場合には、電圧を制御し、インバータ方式で冷却能力が可変する冷却手段を用いる場合には、インバータ手段を制御して、冷却状態を制御する。また、吹き出し口であるノズル部分の開口形状を開閉することで、冷却状態を制御するようにしてもよい。
【０１０５】
以上の作用を、図８を参照して更に説明する。即ち、図８（Ａ）には、３５［ｍｍ］サイズの写真フィルム２２（ストリップス）の一連の駒画像７７を読み取って、順次プリント画像とする、所謂同時プリント画像に対応した読み取りの基本動作が示されている。なお、図８（Ｂ）には、特定駒画像（高濃度駒）が写真フィルム２２の中に混在している場合の読み取りの動作（主に、搬送速度）が示されている。即ち、特定駒画像を読み取る際の搬送速度は、特定駒画像以外の画像を読み取る際の搬送速度（高速）より、低速になる。なお、高濃度か否か等の情報は、プレスキャンにより得られる。
【０１０６】
なお、実際は、写真フィルム２２の各部が読取位置を通過するように搬送されるものであるが、図８（Ａ）、図８（Ｂ）には、読取位置が写真フィルム２２に対して相対的に移動するように示している。
【０１０７】
以上のように、一連の画像の読み取りを行う場合、プレスキャンとファインスキャンの間に、搬送方向逆転のために、照明領域が所定の写真フィルム位置Ｐで所定時間滞留する。また、特定駒画像を読み取る際の搬送速度を、特定駒画像以外の画像を読み取る際の搬送速度より低速にする、即ち、搬送速度を切り換えるために、照明領域が所定位置Ｑで所定時間滞留する。
【０１０８】
本実施の形態では、上記事実に鑑み、照明領域が所定位置で所定時間滞留する場合、絞り３９を所定量絞る（上記待機位置（図７（Ｂ）の位置）に移動させる）ことにより、写真フィルム２２への照射光量を減少させて、写真フィルム２２が過熱状態となることを防止している。
【０１０９】
図９には、写真フィルム２２への照射時間と写真フィルムの温度との関係を、４００Ｗのハロゲンランプ（ランプ３２）、読み取り位置における冷却風速が０〜１０［ｍ／ｓ］、冷却風温度を室温の条件で、テストした結果が示されている。
【０１１０】
縦軸には、写真フィルム２２の温度をとり、８０°Ｃ、１０７°Ｃ、１１３°Ｃの各横軸に平行なラインはそれぞれ、照射領域の最終到達温度目標値、３５［ｍｍ］サイズ写真フィルムのＴＡＣベース材料のガラス転移温度、及びＡＰＳサイズ写真フィルムのＰＥＮベース材料のガラス転移温度を示す。横軸は照射時間であり、照射領域の搬送方向の長さと搬送速度とにより変わる値である。
【０１１１】
図９に示した写真フィルム２２への照射時間と写真フィルムの温度との関係から次の点を理解することができる。
【０１１２】
第１に、冷却風のない状態（Ｖ＝０［ｍ／ｓ］）では、写真フィルムの温度を８０°Ｃ以下に保つためには、２．５［ｓ］以下の短い照射時間しか許容されない。
【０１１３】
第２に、冷却風が、Ｖ＝４［ｍ／ｓ］の場合には、写真フィルムの温度を８０°Ｃ以下に保つのに５［ｓ］近くまで照射時間が許容される。なお、更に、冷却風が、Ｖ＝６［ｍ／ｓ］以上の場合には、写真フィルムが停止していても写真フィルムの温度を８０°Ｃ以下に保つことができる。
【０１１４】
第３に、冷却風の風速が低い状態（Ｖ＝４［ｍ／ｓ］以下）では、写真フィルム２２が照射領域に長時間停止（上記滞留）する場合には、写真フィルム２２を、温度８０°Ｃ以下に保つためには、更に別の昇温抑制対策が必要となる。
【０１１５】
ここで、写真フィルム２２が変質しない耐熱温度としては、写真フィルム２２のベース面側のガラス転移温度Ｔg より所定値小さい温度とすることができる。ベース面側のガラス転移温度Ｔg としたのは、写真フィルム２２の乳剤面側の変質温度は、ベース面側のガラス転移温度Ｔg より高いためである。写真フィルム２２の温度がベース面側のガラス転移温度Ｔg 以上となった場合は、ベース面側の素材が流動状態となることにより変形（変質）が生じる。一方、ガラス転移温度Ｔg より所定値小さい温度としたのは、写真フィルム２２をベース面側を内側にして屈曲させた状態で熱を与えた場合には、上記ガラス転移温度Ｔg に満たない温度であっても徐々に変形が進行する、所謂クリープ現象が発生し、更に、熱を与えた時間が長いほど変形量が増大するということが本発明者の実験等により確かめられたことに鑑みたものである。従って、写真フィルム２２の許容温度を考慮した場合、このクリープ現象も考慮に入れ、ガラス転移温度Ｔg よりも更に下回る温度を超えないようにしている。
【０１１６】
よって、ガラス転移温度Ｔg よりも更に下回る温度を超えないように、写真フィルム２２を冷却するようにしてもよい。
【０１１７】
ここで、写真フィルム２２の読取領域における冷却風の風速は、０．５［ｍ／ｓ］〜１０［ｍ／ｓ］、好ましくは、２［ｍ／ｓ］〜８［ｍ／ｓ］である。即ち、写真フィルム２２の搬送速度及び読取領域の搬送方向の長さから得られる、写真フィルム２２の各部が読取領域を通過する時間（照射時間）と、図８のテスト結果と、から、写真フィルム２２の温度Ｔがしきい値Ｔthとなるための風速を選ぶようにする。なお、冷却風の風速が１０［ｍ／ｓ］を超える場合では、冷却効率からいっても必ずしも効果的ではなく、また、写真フィルムの冷却風による振動、冷却風の吹き出し口の風切り音やコンプレッサ等の冷却手段の騒音、消費電力が多く必要となる等の弊害が多く発生する。
【０１１８】
このように、コンプレッサにより生成された冷却風（ファンによる冷却風より流量・流速・風圧的に大きい）を、搬送される写真フィルムの光が照射される領域に案内するので、写真フィルムに照射する光量を多くしても、写真フィルムが変質することを防止することができる。即ち、本実施の形態では、大光量のスリット光が照射される領域に、写真フィルムを搬送し、写真フィルムのスリット光が照射される領域（非照射領域より高温になる）に冷却風を噴射する点で、上記従来技術のような、写真フィルムが静止状態のときに写真フィルムに記録された画像を読み取るものと大きく相違する。
【０１１９】
ところで、上記のように、写真フィルムが変質することを防止するために、コンプレッサにより生成された冷却風を写真フィルムに照射するようにしても、コンプレッサが故障したり、フィルムキャリアが故障したり、した場合、写真フィルムの変質を防止することができない。そこで、本実施の形態では、次の異常処理を実行する。
【０１２０】
即ち、図１０には、主電源投入時から所定時間毎に繰返実行される異常処理ルーチンが示されており、ステップ１１２で、待機センサ５７Ｂの出力がないか否かを判断する。待機センサ５７Ｂの出力がない場合には、絞り３９が危険位置に位置していない、即ち、原点位置又は待機位置に位置しているので、写真フィルム２２への光照射が継続しても、光量が少ないので、変質するおそれがない。そこで、本ルーチンを終了する。
【０１２１】
待機センサ５７Ｂの出力がある場合には、絞り３９が危険位置に位置しているので、何らかの異常状態があると写真フィルム２２が変質するので、以下の処理を実行する。
【０１２２】
即ち、ステップ１１４で、フィルムキャリア３８からの信号を基に、写真フィルム２２が搬送されているか否かを判断する。なお、写真フィルム２２が搬送されているか否かは、写真フィルム２２が停止しているか否かや写真フィルム２２が必要速度で搬送されているか否かにより判断する。
【０１２３】
ここで、フィルムキャリア３８からは、フィルムキャリア３８内の図示しない搬送モータが作動している場合には、モータ駆動信号が入力され、該搬送モータが作動していない場合（明暗補正／光軸調整／光源絞りテーブル作成時等）には所定の調整信号が入力される。なお、モータ駆動信号及び所定の調整信号は、マイクロプロセッサ４６の異なるポートに入力される。そして、本ステップ１１４では、上記モータ駆動信号及び所定の調整信号が所定時間入力されなかったか否かを判断することにより、写真フィルム２２の搬送状態が異常状態であると判定するようにしてもよい。その他、フィルムキャリア３８において、写真フィルム２２に設けられているパーフォレーションを検出し、検出されるべきタイミングでパーフォレーションが検出されなかったか否かを判断したり、モータの脱調やモータへの電流を検出して判定してもよい。また、フィルムキャリア３８内の写真フィルム２２が、図示しない搬送モータが作動しているにもかかわらず、引っ掛かり、スリップ等を起こしてうまく搬送されず、写真フィルム２２が照射位置に滞留する場合も想定される。いわゆる写真フィルムジャムの状態であるが、この場合、写真フィルム２２に当接した従動ローラ（図示せず）にエンコーダを設け、搬送モータ作動中にエンコーダ出力間隔を監視し、所定時間出力が検知できなかった場合、写真フィルム２２の搬送状態が異常状態であると判定するようにしてもよい。
【０１２４】
ステップ１１４で写真フィルム２２が搬送されていないと判定された場合は、ステップ１１６で、ディスプレイ１８に、写真フィルム２２の搬送状態が異常である旨の第１のメッセージを表示し、ステップ１１８で、ランプ３２を消灯する。
【０１２５】
一方、写真フィルム２２が搬送されている場合には、ステップ１２０で、流量センサ９６から冷却風の流量（所定時間当たりの流量（風速に相当））Ｖを取り込む。なお、コンプレッサの劣化やコンプレッサのフィルタの目ずまり等で、流量が低下する場合がある。
【０１２６】
ステップ１２４で、取り込んだ流量Ｖと、流量が劣化し始めた流量注意速度Ｖ1 及び写真フィルム２２が変質する虞のある流量危険速度Ｖ2 と、を比較する。
【０１２７】
取り込んだ流量Ｖが、流量注意速度Ｖ1 及び流量危険速度Ｖ2 より大きい場合（Ｖ＞Ｖ1 ＞Ｖ2 ）には、適正の流量で冷却風が供給されているので、本ルーチンを終了する。
【０１２８】
取り込んだ流量Ｖが、流量注意速度Ｖ1 と流量危険速度Ｖ2 と間にある場合（Ｖ1 ≧Ｖ≧Ｖ2 ）には、流量が劣化したが、写真フィルム２２が変質する虞がないので、注意を喚起するために、ステップ１２６で、「フィルムの冷却風が低下しています。コンプレッサのフィルタの目ずまり等が考えられます。」等の第２のメッセージを、ディスプレイ１８に表示して、本ルーチンを終了する。
【０１２９】
取り込んだ流量Ｖが、流量注意速度Ｖ1 及び流量危険速度Ｖ2 より小さい場合（Ｖ1 ＞Ｖ2 ＞Ｖ）には、冷却風の流量が足りず、写真フィルム２２が変質する虞があるので、ステップ１２８で、「フィルム冷却風量が低下しています。ランプを消しました。」等の第３のメッセージを表示し、ステップ１１８に進み、ランプ３２を消灯する。
【０１３０】
このように、光が照射された写真フィルムの変質を招く異常状態が検知された場合、ランプを消灯するので、写真フィルムの変質を防止することができる。
【０１３１】
なお、写真フィルムの搬送状態及び冷却風の流量状態のように、複数種類の異常状態の少なくとも１つが検知された場合、ランプを消灯するので、複数種類の異常状態に則して写真フィルムへの照射光量を減少させることができ、写真フィルムの変質をより効果的に防止することができる。
【０１３２】
以上説明した実施の形態では、異常状態として、写真フィルムの搬送状態及び冷却風の流量状態を検知するようにしているが、本発明はこれに限定されず、搬送状態及び流量状態に代えて、又は搬送状態及び流量状態と共に、冷却風の温度状態、写真フィルムの温度状態、光源部の光照射状態、光源部のケーシングの閉止状態、及び減少手段であるマイクロプロセッサ（コンピュータ）の稼働状態の少なくとも一方を検知するようにしてもよい。
【０１３３】
冷却風の温度状態は、例えば、図１１に示すように冷却風の吹出口近傍に温度センサ９８を設けることによって検出することができる。また、温度センサ９８をコンプレッサ９４から冷却風の吹出口に至る案内管９５の何れかの位置の近傍や案内管９５の内部に設ける形態としてもよい。
【０１３４】
写真フィルムの温度状態は、写真フィルム２２の光被照射領域近傍の温度を検出する温度センサにより検出することができる。この場合、温度センサは、写真フィルム２２の光被照射領域近傍の温度を検出するようにしてもよい。写真フィルムの最も加熱される領域近傍の温度を検出するためである。そして、上記クリープ現象も考慮に入れたガラス転移温度Ｔg よりも更に下回る温度をしきい値Ｔthとして定め、温度センサにより検出された写真フィルム２２の温度がしきい値Ｔth以上か否かを判断することにより、異常状態を判定するようにする。なお、写真フィルムの乳剤面でなく、写真フィルムのベース面の耐熱温度Ｔ0 を考慮してしきい値Ｔthを定めているのは、写真フィルムのベース面の耐熱温度Ｔ0 は、乳剤面の耐熱温度より低いので、写真フィルムの近傍の温度が乳剤面の耐熱温度より低くてもベース面の耐熱温度より大きくなり、変質することを防止するためである。なお、上記写真フィルムの光被照射領域近傍に温度ヒューズを備え、温度ヒューズが断線しているかいなかを電気的に検知して、異常状態を判定するようにしてもよい。
【０１３５】
光源部３０の光照射状態は、照射光量を検出するセンサを備えたり、ランプ３２への電流値を検出したり、して、異常状態を判定する。
【０１３６】
また、上記光源部３０の光照射状態には、写真フィルム上の同一箇所に照射される光の累積時間（累積照射時間）も含まれ、この場合、該累積照射時間が所定値を越えた場合に異常状態であると判定する。
【０１３７】
光源部３０のケーシング３１の閉止状態は、インターロックや制御線断線等により判定する。
【０１３８】
マイクロプロセッサ（コンピュータ）の稼働状態は、コンピュータからのパルス信号を監視してコンピュータの暴走状態を判定する所謂ウォッチドッグ回路を備えて判定する。
【０１３９】
また、前述した実施の形態では、冷却風の流量状態を検知する手段として案内管９５上に流量センサ９６を設けた場合について説明したが、本発明はこれに限定されるものではなく、図１１に示すように上記流量センサ９６に代えて圧力センサ９７を設け、該圧力センサ９７によって冷却風の圧力を検知して、これを流量に変換する形態とすることもできる。
【０１４０】
また、前述した実施の形態では、異常状態が検知された場合、ランプ３２を消灯しているが、本発明はこれに限定されず、絞り３９を原点位置まで移動させたり、別個設けたシャッターを挿入したり、してもよい。その他、フィルムキャリア３８を制御して、写真フィルム２２を自動的に排出したり、フィルムキャリア自体を離脱させたり、してもよい。
【０１４１】
なお、前述した例では、コンプレッサを用いているが、本発明はこれに限定されず、ファンを備えても良い。なお、ファンの異常状態は、エンコーダ等によりファンモータの回転速度を検出し、電源投入しても検出した回転速度が必要な回転速度まで到達していないか否等かにより判定する。
【０１４２】
以上説明した実施の形態では、案内管９５は写真フィルムに斜めから冷却風が当たるように案内しているが、本発明はこれに限定されず、図１２及び図１３に示すように、案内管９５の先端をフィルムキャリア３８内に到達させ（図１２参照）、かつ、写真フィルム２２の読取領域Ｒに沿って平行に冷却風が流動するように案内（図１３（Ａ）参照）するようにしてもよい。即ち、案内管９５を、写真フィルム２２より外でかつ写真フィルム２２の長手方向と垂直な方向に、先端が読取領域Ｒ近傍に位置するように、配置している。なお、図１３（Ｂ）に示すように、写真フィルム２２の片面側の読取領域Ｒに沿って平行に冷却風が流動するように案内するようにしてもよく、図１３（Ｃ）に示すように、写真フィルム２２の両面の読取領域Ｒに沿って平行に冷却風が流動するように案内するようにしてもよい。
【０１４３】
この形態において、前述したように流量センサ９６に代えて圧力センサ９７を設けると共に冷却風の温度状態を検出するための温度センサ９８を設ける場合には、例えば図１４に示すように構成することができる。この形態では、案内管９５の冷却風の吹出口（案内管９５の先端）は写真フィルム２２の近傍に位置しており、温度センサ９８を吹出口近傍に配置することが困難であるので、図１４に示す形態では案内管９５の途中でかつできるだけ吹出口に近い位置に温度センサ９８を設けている。
【０１４４】
また、図１５に示すように、案内管９５は、写真フィルム２２の読取領域Ｒに全体に渡りかつ斜め方向に冷却風を案内する形態としてもよい。即ち、案内管９５を、写真フィルム２２より上方の位置に写真フィルム２２の長手方向と垂直な方向に配置し、かつ、案内管９５の読取領域Ｒに対応する部分に、読取領域Ｒに沿って伸びるスリット９５Ｓを設けている。よって、スリット９５Ｓを介して冷却風が、写真フィルム２２の読取領域Ｒに、全体に渡りかつ斜め方向から当たる。なお、スリット９５Ｓに限定されず、図１５（Ｃ）に示すように、案内管９５の読取領域Ｒに対応する部分に、一列に複数の孔を設けてもよい。
【０１４５】
なお、案内管９５の読取領域Ｒに対応する部分に、スリット９５Ｓが設けることに限定されず、図１６に示すように、写真フィルム２２より上方の位置に、先端が読取領域Ｒに向かうように複数の管９５Ａ、９５Ｂ、・・・を配置するようにしてもよい。なお、複数の管９５Ａ、９５Ｂ、・・・を配置することに限定されず、１つの管を、該管からの冷却風が読取領域Ｒ全体に当たるように、所定距離離間して配置するようにしてもよい。
【０１４６】
なお、以上説明したバランスフィルタは一枚の構成のもの（ターレット（図４（Ｂ）参照））に限定されず、図１７に示すように、赤光を吸収するシアンフィルタ用のターレット３６Ｃ、緑光を吸収するマゼンタフィルタ用のターレット３６Ｍ、及び青紫光を吸収するイエローフィルタ用のターレット３６Ｙにより構成してもよい。ターレット３６Ｃは、濃度の異なる複数のシアンフィルタ３６Ｃ１、３６Ｃ２、３６Ｃ３が嵌め込まれている。なお、シアンフィルタ３６Ｃ１、３６Ｃ２、３６Ｃ３の順に濃度が濃くなっている。その他のターレット３６Ｍ、３６Ｙも同様の構成となっている。そして、各ターレット３６Ｃ、３６Ｍ、３６Ｙは、各ターレットの選択されたフィルタ各々が光軸Ｌ上で重なるように、回転可能に支持されている。
【０１４７】
以上説明した実施の形態では、ラインＣＣＤスキャナ（写真感光材料変質防止装置を備えた画像読取装置）を例にとり説明したが、本発明はこれに限定されず、写真フィルム変質防止装置を写真露光装置に適用してもよい。即ち、写真フィルムと感光材料とを相対的に移動しつつ、写真フィルムからのスリット光を案内手段により感光材料に案内してスリット露光するアナログプリンタ（写真露光装置）に適用してもよい。
【０１４８】
【発明の効果】
以上説明したように本発明は、光の照射に起因した写真感光材料の変質を招く異常状態が検知された場合、写真感光材料への照射光量を減少させるので、写真感光材料の変質を防止することができる、という効果を有する。
【０１４９】
また、本発明は、複数種類の異常状態の少なくとも１つが検知された場合、写真感光材料への照射光量を減少させるようにしているので、複数種類の異常状態に則して写真感光材料への照射光量を減少させることができ、写真感光材料の変質をより効果的に防止することができる、という効果を有する。
【０１５０】
更に、本発明は、写真感光材料への光の照射量を絞る絞り手段による絞り状態が、写真感光材料への光の照射量が写真感光材料が変質する量以上の状態である必要な状態に限って、照射光量を減少させるので、異常処理を必要な状態に限定して実行することができる、という効果を有する。
【図面の簡単な説明】
【図１】ラインＣＣＤスキャナの外観図である。
【図２】ラインＣＣＤスキャナの光学系の正面断面図である。
【図３】ラインＣＣＤスキャナの光学系の側面断面図である。
【図４】（Ａ）は絞り、（Ｂ）はターレット、（Ｃ）はレンズ絞り、（Ｄ）はＣＣＤシャッタの一例を各々示す平面図である。
【図５】ラインＣＣＤスキャナの光学系の主要部のみを示した図である。
【図６】ラインＣＣＤスキャナの電気系の概略構成を示すブロック図である。
【図７】絞り位置センサの構成及び絞り板の位置を示した図である。
【図８】プレスキャン及びファインスキャンの様子を示した概念図である。
【図９】写真フィルムへの照射時間と写真フィルムの温度との関係を示したグラフである。
【図１０】異常処理ルーチンを示したフローチャートである。
【図１１】冷却風の温度を検知する温度センサ及び冷却風の圧力を検知する圧力センサを適用した場合のラインＣＣＤスキャナの光学系の主要部のみを示した図である。
【図１２】変形例に係るラインＣＣＤスキャナの光学系の主要部のみを示した図である。
【図１３】（Ａ）及び（Ｂ）は、案内管の一例を示した斜視図及び断面図であり、（Ｃ）は案内管の変形例を示した断面図である。
【図１４】図１２に示した形態に冷却風の温度を検知する温度センサ及び冷却風の圧力を検知する圧力センサを適用した場合のラインＣＣＤスキャナの光学系の主要部のみを示した図である。
【図１５】（Ａ）及び（Ｂ）は、案内管の他の例を示した斜視図及び断面図であり、（Ｃ）は案内管の更に他の変形例を示した断面図である。
【図１６】案内管の更に他の例を示した斜視図である。
【図１７】ターレットの変形例を示す図である。
【符号の説明】
１４    ラインＣＣＤスキャナ
２２    写真フィルム
３０    光源部（照射手段）
３２    ランプ
３６    ターレット
３８    フィルムキャリア（搬送手段）
３９    絞り（絞り手段）
４０    拡散ボックス
４６    マイクロプロセッサ（減少手段）
５０    レンズユニット
１１６    ラインＣＣＤ（読取手段）
【図１】
0003734986.tif 000002
【図２】
0003734986.tif 000003
【図３】
0003734986.tif 000004
【図４】
0003734986.tif 000005
【図５】
0003734986.tif 000006
【図６】
0003734986.tif 000007
【図７】
0003734986.tif 000008
【図８】
0003734986.tif 000009
【図９】
0003734986.tif 000010
【図１０】
0003734986.tif 000011
【図１１】
0003734986.tif 000012
【図１２】
0003734986.tif 000013
【図１３】
0003734986.tif 000014
【図１４】
0003734986.tif 000015
【図１５】
0003734986.tif 000016
【図１６】
0003734986.tif 000017
【図１７】
0003734986.tif 000018